(57)【要約】【課題】  屋内、特に家庭内での使用に適し、小型で、可搬性、使用性にも優れ、またカートリッジを交換する際に、捕集された吸血性昆虫がユーザの視野に入るのを防ぐことができる吸血性昆虫の捕集器を提供することを目的とする。【解決手段】  蚊捕集器具のケース内に、カートリッジ式の誘引部材、捕集部材１５を取外し可能な状態でセットし、捕集部材１５のカートリッジＢ１には、可撓性を有した被覆フィルム４１や、シャッター式で開閉可能なカバー等を備え、被覆フィルム４１やカバーで粘着剤面１６を覆うようにした。【選択図】図４
2005065630.tif 000002
【特許請求の範囲】
【請求項１】
吸血性昆虫の捕集器の外殻をなすケースと、前記吸血性昆虫を誘引する誘引部と、前記誘引部によって誘引された前記吸血性昆虫を前記ケース内に導く通路と、を備えた前記吸血性昆虫の捕集器に対し、前記ケース内に着脱可能に保持されるカートリッジであって、
前記ケースに固定するための固定部と、
前記固定部と一体に設けられ、前記ケース内に導かれた前記吸血性昆虫を捕集する粘着部と、
を有することを特徴とするカートリッジ。
【請求項２】
前記カートリッジを前記ケースから取り外したときに前記粘着部を覆うカバーを、さらに備えることを特徴とする請求項１に記載のカートリッジ。
【請求項３】
前記カバーは、前記固定部に対し、前記粘着部を覆う位置と前記粘着部を露出させる位置との間をスライド可能であることを特徴とする請求項２に記載のカートリッジ。
【請求項４】
前記カートリッジは、中空箱状で、その外周部が前記固定部とされ、その内周面に前記粘着部が形成されるとともに、前記カートリッジの前記粘着部を露出させる露出口が、当該カートリッジの前記粘着部に対向する面の面積に対し半分以下の面積で形成され、
前記カバーは、前記露出口を塞ぐ位置と、前記露出口から前記粘着部を露出させる位置との間をスライド可能であることを特徴とする請求項３に記載のカートリッジ。
【請求項５】
前記カバーとして、前記粘着部を覆う被覆フィルムをさらに備えることを特徴とする請求項２に記載のカートリッジ。
【請求項６】
前記被覆フィルムは、その一端が前記固定部に固定されていることを特徴とする請求項５に記載のカートリッジ。
【請求項７】
前記カートリッジは、少なくとも一方に開口し、前記固定部が外周部に形成され、前記粘着部が内周面に形成されたホルダをさらに備え、
前記ホルダは、押し潰すことで、当該ホルダにて前記粘着部と対向する内周面に当該粘着部が密着可能であることを特徴とする請求項１に記載のカートリッジ。
【請求項８】
前記ホルダの内周面に、前記誘引部が設けられていることを特徴とする請求項７に記載のカートリッジ。
【請求項９】
前記誘引部は、炭酸ガスを発生することで前記吸血性昆虫を誘引することを特徴とする請求項１から８のいずれかに記載のカートリッジ。
【請求項１０】
吸血性昆虫の捕集器に取外し可能な状態で装着され、前記吸血性昆虫を捕集する捕集部材であって、
前記捕集器に対して取外し可能な状態で固定するための固定フレームと、
前記固定フレームと一体に設けられ、前記吸血性昆虫を捕集する粘着部と、
前記粘着部を露出させた位置から移動して前記粘着部を覆うことのできるカバーと、
を備えることを特徴とする捕集部材。
【請求項１１】
前記固定フレームは、前記粘着部が表面に形成されたプレート状で、
前記カバーは、一端が前記固定フレームに固定され、可撓性を有していることを特徴とする請求項１０に記載の捕集部材。
【請求項１２】
前記固定フレームは、内部底面に前記粘着部が形成され、前記粘着部を露出させる方向に開口した箱状で、
前記カバーは、前記粘着部を露出させた位置と前記粘着部を覆う位置との間でスライド可能であることを特徴とする請求項１０に記載の捕集部材。
【請求項１３】
吸血性昆虫の捕集器に取外し可能な状態で装着され、前記吸血性昆虫を捕集する捕集部材であって、
少なくとも一方に開口し、可撓性を有した材料で形成されたホルダと、
前記ホルダの内周面に形成され、炭酸ガスを発生するガス発生部と、
前記ホルダの内周面に形成され、粘着剤が塗布された粘着部と、
を備えることを特徴とする捕集部材。
【発明の詳細な説明】
【技術分野】
【０００１】
本発明は、蚊等の吸血性昆虫を捕集する捕集器に用いられるカートリッジ、捕集部材に関する。
【背景技術】
【０００２】
人間等の血液を吸う吸血性の昆虫である蚊は、刺した箇所に炎症を生じさせるだけでなく、マラリアやウエストナイルウィルス脳炎等の伝染病を媒介する可能性があるのは周知のとおりであり、このような蚊を駆除するため、各種の駆除剤、駆除装置等が広く提供されている。
例えば、駆除剤としては、いわゆる蚊取り線香、電子蚊取り器、スプレー式の殺虫剤があり、これらはいずれも、ＤＥＥＴ(Ｎ,Ｎ−ジエチル−ｍ−トルアミド)等の蚊忌避剤を
用いている。
しかしながら、乳児がいる家庭や、化学薬品に対するアレルギー等を有する場合等、蚊忌避剤、つまり薬品を使用することに不安や抵抗を抱く人も多い。
【０００３】
蚊忌避剤に頼らず、蚊を駆除するには、人の体温に近い熱や炭酸ガス等に蚊が誘引される、という性質を利用したものがある（例えば、特許文献１、２、３参照。）。
例えば、特許文献１に記載された技術は、炭酸ガスと温熱により蚊を誘引し、電撃により蚊を殺すものである。また、特許文献２、３に記載された技術は、炭酸ガスや温熱により蚊を誘引し、粘着テープに蚊を捕集するものである。
【０００４】
【特許文献１】特開平１１−３４６６２８号公報
【特許文献２】特開平１０−２２９８０１号公報
【特許文献３】特開平６−４６号公報
【発明の開示】
【発明が解決しようとする課題】
【０００５】
しかしながら、特許文献１に記載されたような、電撃により蚊を殺すような方式は、高電圧を用いること、また蚊を捕らえた時に電撃音が生じるため、屋内、特に家庭内での使用には不向きである。
【０００６】
また、特許文献２、３に記載されたような技術も、家庭内での使用を想定したものではない。特許文献２に記載された技術では、炭酸ガス発生源として、炭酸ガスボンベを用いているからである。もちろん、炭酸ガスボンベを小型化することも考えられるが、そのような構成としたとしても、装置を家庭内での可搬性に優れるサイズ、例えば現状の電子蚊取り器と同等のサイズ、あるいはいわゆる手の平サイズとするのは困難である。
一方、特許文献３に記載された技術は、炭酸ガス発生源として水に浸すと炭酸ガスを発生する発泡性錠剤を用い、また温熱源としてカイロを用いる等、開示された実施例も実験レベルに過ぎず、また実際に使用するにも、床面上に伏せた状態で設置しなければならない等、設置方法に限定があるため、実際に製品化できるような構成ではない。
さらに、粘着材に捕集された蚊が露出しているため、視覚的に嫌悪感を抱きやすく、この点においても室内での使用には不向きである。
【０００７】
このような技術的課題に基づき、本発明者らは、屋内、特に家庭内での使用に適し、小型で、可搬性、使用性にも優れる吸血性昆虫の捕集器を提供することを目的として鋭意検討を行った。
【課題を解決するための手段】
【０００８】
鋭意検討の結果、本発明者らは、ケースに設けられ、例えば炭酸ガスを発生させることで吸血性昆虫を誘引する誘引部と、ケースに形成され、誘引部によって誘引された吸血性昆虫をケース内に導く通路と、ケース内に収められ、ケース内に導かれた吸血性昆虫を捕集するプレート状の捕集部と、を備えた構成の、蚊等の吸血性昆虫の捕集器が、上記したような課題を解決するのに好適であることを見出した。
このような捕集部としては、粘着材を用いて吸血性昆虫を捕集するのがコスト等の面で最適である。そして、ある程度の期間使用した時点で、その捕集性能を維持するには、プレート状の捕集部をケースに対して交換可能なカートリッジ式とするのが好ましいことを見出した。
【０００９】
このような知見に基づいてなされた本発明は、吸血性昆虫の捕集器の外殻をなすケースと、吸血性昆虫を誘引する誘引部と、誘引部によって誘引された吸血性昆虫をケース内に導く通路と、を備えた吸血性昆虫の捕集器に対し、ケース内に着脱可能に保持されるカートリッジである。
このカートリッジは、ケースに固定するための固定部と、固定部と一体に設けられ、ケース内に導かれた吸血性昆虫を捕集する粘着部と、を有することを特徴とする。
ここで、固定部のケースに対する固定方法はいかなるものであってもよいが、ケースに設けたガイドレールに差し込む方式が、着脱が容易である。
【００１０】
このようなカートリッジについてさらに検討を続けたところ、カートリッジに備えた粘着部はケース内に収めるため、使用状態では、粘着部に捕集された吸血性昆虫が露出することもなく、視覚的な嫌悪感を抱かせるのを防ぐことができるものの、カートリッジを交換するためケースから取り出した際に、捕集されて粘着部に付着している吸血性昆虫がユーザの視野に入り、嫌悪感を抱くということがあるという問題が存在することを知見した。
【００１１】
この知見に基づき、上記本発明にかかるカートリッジは、さらに、カートリッジをケースから取り外したときに粘着部を覆うカバーをさらに備えるのが好ましい。
このようなカートリッジは、カートリッジをケースから取り外したときに粘着部を覆うことができるのであればいかなるものであってもよいが、カバーで粘着部を覆う際の容易性等を考慮すると、以下のような構成が採用できる。
すなわち、カバーを、固定部に対し、粘着部を覆う位置と粘着部を露出させる位置との間をスライド可能な構成とすることができる。この場合、カートリッジを、中空箱状とし、その外周部に固定部を設け、その内周面には粘着部を形成する。そして、カバーを、露出口を塞ぐ位置と、露出口から粘着部を露出させる位置との間でスライド可能とすれば良い。ただしこの場合、露出口をカートリッジのほぼ全面に開口する構成とすると、カバーを開いて露出口から粘着部を露出させた状態でカバーがカートリッジから突出してしまう。その結果、捕集器からもカバーが突出したり、あるいはカートリッジから突出したカバーをも収容するため、捕集器が大型化してしまうこともある。
このため、カバーのカートリッジからの突出寸法をなるべく小さくするのが、捕集器を小型化するという観点からして好ましい。さらに、カートリッジを、カートリッジの粘着部を露出させる露出口を、カートリッジの粘着部に対向する面の面積に対し半分以下の面積で形成し、カバーを、露出口を塞ぐ位置と、露出口から粘着部を露出させる位置との間でスライド可能とすることができる。このような構成とすれば、露出口の大きさがカートリッジの半分以下の面積であるため、カバーを開いて露出口から粘着部を露出させた状態で、カバーがカートリッジから突出しない構成とすることができ、カートリッジおよび捕集器の小型化に貢献できる。
【００１２】
また、カバーとして、粘着部を覆う被覆フィルムをさらに備えることができる。
この場合、被覆フィルムをカートリッジとは別体とし、カートリッジの交換後、捕集器から取り外してから粘着部に貼り付けてもよいが、可撓性を有した材料で形成した被覆フィルムの一端を固定部に固定しておき、カートリッジに装着した状態では被覆フィルムを巻き取ったり蛇腹状に折畳む等して、粘着部を露出させることもできる。
【００１３】
この他、カートリッジをケースから取り外したときに粘着部をカバーで覆うのではなく、他の構成を採用することもできる。
例えば、カートリッジに、少なくとも一方に開口し、固定部が外周部に形成され、粘着部が内周面に形成されたホルダをさらに備えることができる。この場合、カートリッジの交換後、ケースから取り外したときに、このホルダを押し潰すことで、ホルダにて粘着部と対向する内周面に、粘着部を密着させる。これによっても、捕集された吸血性昆虫を視野に入らないようにすることができる。もちろん、ホルダの開口部に、各種ファスナや粘着部材を別途設けたり、あるいはホルダの開口部を折畳むこと等でも開口部を塞ぐことができ、これによって捕集された吸血性昆虫を完全に視野に入らないようにすることができるが、粘着部の粘着力により、ホルダの内周面に形成された粘着部をその対向面（内周面）に密着させることで、単に押し潰すだけで、捕集された吸血性昆虫を完全に視野に入らないようにすることができる。
このようなホルダは、少なくとも一方、つまり一方あるいは二方に開口した断面偏平形状の筒状（いわゆる封筒状あるいは袋状）等とすることができる。このようなホルダには、その内周面に、誘引部を設けることもできる。これにより、誘引部と粘着部とを一体のカートリッジとすることができる。
【００１４】
また、本発明は、上記したような構成には限らない、様々な構成の吸血性昆虫の捕集器に取外し可能な状態で装着される捕集部材として捉えることもできる。
この場合、捕集部材は、捕集器に対して取外し可能な状態で固定するための固定フレームと、固定フレームと一体に設けられ、吸血性昆虫を捕集する粘着部と、粘着部を露出させた位置から移動して粘着部を覆うことのできるカバーと、を備えることを特徴とする。
さらに、固定フレームを、粘着部が表面に形成されたプレート状とし、カバーを、一端が固定フレームに固定され、可撓性を有したものとすることができる。このようなカバーは、巻取りが可能なフィルム状や、折畳みが可能な蛇腹状とすることができる。
また、固定フレームを、内部底面に粘着部が形成され、粘着部を露出させる方向に開口した箱状とし、カバーを、粘着部を露出させた位置と粘着部を覆う位置との間でスライド可能な構成とすることもできる。
【００１５】
さらに、本発明は、様々な構成の吸血性昆虫の捕集器に取外し可能な状態で装着される他の捕集部材として捉えることもできる。
この捕集部材は、少なくとも一方に開口し、可撓性を有した材料で形成されたホルダと、ホルダの内周面に形成され、炭酸ガスを発生するガス発生部と、ホルダの内周面に形成され、粘着剤が塗布された粘着部と、を備えることを特徴とすることができる。
このようなホルダでは、捕集器に装着された状態で、開口した側から外部に流れ出る炭酸ガスによって吸血性昆虫をホルダ内に誘引し、誘引された吸血性昆虫を粘着部によって捕集する。そして、捕集部材の交換時には、可撓性を有したホルダを折畳んだり押し潰したりすることで、粘着部をホルダ内周の対向面に貼り付ける。これによって、捕集された吸血性昆虫が視野に入らない状態とすることができる。
【発明の効果】
【００１６】
本発明のカートリッジによれば、吸血性昆虫を捕集する粘着部を有するカートリッジを適宜タイミングで交換することで、捕集性能を容易に維持することができる。
しかも、本発明のカートリッジや捕集部材によれば、ケースから取り外したときに捕集された吸血性昆虫がユーザの視野に入るのを防ぐことができ、嫌悪感を抱くことを抑制で
きる。
【発明を実施するための最良の形態】
【００１７】
以下、添付図面に示す実施の形態に基づいてこの発明を詳細に説明する。
図１〜図３は、本実施の形態における蚊捕集器具（捕集器）１０の構成を説明するための図である。
図１に示すように、蚊捕集器具１０は、その外殻が、例えば樹脂、金属等からなるケース１１によって形成されている。このケース１１は、例えば四角形状（他に、多角形状や円形状等でも良い）の面１１ａ、１１ｂを有している。面１１ａ、１１ｂを例えば四角形状としたこのケース１１は、面１１ａと面１１ｂの外周縁に沿って、面１１ａ、１１ｂにほぼ直交する面１１ｃ、１１ｄ、１１ｅ、１１ｆが形成され、全体として六面体をなしている。
また、ケース１１は、互いに対向する面１１ａ、１１ｂの外形寸法（捕集部の表面に沿った方向の外形寸法）Ｘ、Ｙに対し、面１１ａ、１１ｂ間の距離、すなわちケース１１の厚さ（捕集部の表面に略直交する方向の外形寸法）Ｔが十分に小さく設定されている。つまり、このケース１１は、全体として薄型をなしている。また、このケース１１は、外表面を、蚊が好む濃色、特に黒色とすることもできる。逆に、無用に蚊がケース１１に着地するのを防ぐため、黒色以外とすることもある。
面１１ａと面１１ｂを繋ぐ一つの面１１ｃには、開口部（通路、露出口）１２が形成されている。この開口部１２は、図１に示したような、一方向に長い長方形状（スリット状）の他、適宜形状を有した複数の穴によって構成することもできる。
【００１８】
図２に示すように、ケース１１の内部には、空間１３が形成され、この空間１３には、蚊を誘引する誘引部材（カートリッジ、誘引部、ガス発生部）１４と、誘引した蚊を捕集（捕捉）するための捕集部材（カートリッジ）１５とが収められている。
誘引部材１４は、全体として矩形のプレート状で、蚊を誘引するための炭酸ガスを発生する。これには、例えば、アスコルビン酸塩（アスコルビン酸ナトリウム等）が大気と接触し酸化反応して炭酸ガスを発生したり、炭酸水素ナトリウムとクエン酸が水と接触することで炭酸ガスを発生する現象を利用できる。例えば、誘引部材１４として、アスコルビン酸塩の錠剤、顆粒剤、粉末剤等を誘引剤とし、通気性を有した容器あるいは袋に内包させた構成が採用できる。この場合、アスコルビン酸塩を内包した容器あるいは袋の外周部を矩形状とすることで、誘引部材１４を全体として薄型のプレート状とすることができる。
【００１９】
捕集部材１５も、全体として矩形のプレート状の基材１５ａの一面側に、粘着剤が塗布されることで粘着剤面（粘着部）１６が形成されている。また、この捕集部材１５自体を、その一面側に粘着剤面１６が形成された粘着シートによって形成することもできる。ここで、粘着剤面１６は、その粘着力が、例えば１０００ｇｆ／２５ｍｍ2以上とするのが
好ましい。
【００２０】
このような誘引部材１４と捕集部材１５は、ケース１１内において、互いに対向する面１１ａ、１１ｂと略平行に位置し、開口部１２の両側で所定の間隔を隔てた状態で互いに対面するよう保持されている。これにより、誘引部材１４と捕集部材１５の間には、開口部１２に連続する細長い空間Ｓがケース１１の奥に向けて連続するよう形成されている。このため、図２、図３に示すように、ケース１１の内部には、誘引部材１４と捕集部材１５を、それぞれその両側端部で保持するため、開口部１２が形成された面１１ｃに直交して延在する二本一対のガイドレール１７ａ、１７ｂ、１８ａ、１８ｂが設けられている。
誘引部材１４、捕集部材１５の基材（固定部、固定フレーム）１５ａは、ガイドレール１７ａ、１７ｂ、１８ａ、１８ｂに対し、スライド可能となっており、これによって誘引部材１４、捕集部材１５は、それぞれ、開口部１２から挿抜することでケース１１に対し
て取外し可能な状態で装着できるカートリッジＡ、Ｂを構成している。
【００２１】
また、ケース１１内には、ガイドレール１７ａ、１７ｂに保持された状態の誘引部材１４に対し、その背面側に位置するヒータパネル２０が備えられている。さらに、ヒータパネル２０の他に、ケース１１内の検出を形成するための温度センサと、この温度センサで検出した温度に基づきヒータパネル２０をＯＮ／ＯＦＦする制御回路と、をケース１１に備えることもできる。この場合、温度センサで検出したケース１１内の温度に基づき制御回路でヒータパネル２０をＯＮ／ＯＦＦすることで、ケース１１の内部を、例えば３５〜３８℃の所定温度に加熱・維持することができる。なお、このようなヒータパネル２０、温度センサ、制御回路等は、電池あるいは交流電源を電源として用いることができる。
【００２２】
このような蚊捕集器具１０は、ケース１１を、床面や、テーブル等の台上に、横に寝かせて設置することもできるが、図２に示したように、ケース１１に例えば支持脚３０を取り付け、この支持脚３０により、ケース１１の開口部１２が下向きとなるように設置することもできる。
【００２３】
このような蚊捕集器具１０では、誘引部材１４から炭酸ガスを発生させると、発生した炭酸ガスは、開口部１２からケース１１外に流出する。この炭酸ガスに蚊が誘引され、ケース１１に近づいてくる。さらにこの蚊が、より炭酸ガス濃度の高い、開口部１２から、ケース１１内にて開口部１２の奥に位置するプレート状の誘引部材１４、捕集部材１５間の空間Ｓに入り込む。そして、空間Ｓに入り込んだ蚊が、一方の側の捕集部材１５の粘着剤に接触することで、蚊が捕集されるようになっている。
このとき、プレート状の誘引部材１４、捕集部材１５間に形成された空間Ｓは、細長く（狭い）、しかも外光が届きにくいためケース１１外に比較して薄暗く、習性的に蚊が好むと言われている条件が整っている。さらに、ヒータパネル２０により、ケース１１内の温度を、例えば３５〜３８℃といった温度にしておくことで、さらに条件は整うことになる。
加えて、ケース１１によって、捕集部材１５で捕集した蚊が外部に露出しないため、室内等に蚊捕集器具１０を設置しても、視覚的に嫌悪感を抱かせることもない。
【００２４】
さて、このような蚊捕集器具１０において、前記したように、誘引部材１４、捕集部材１５はケース１１に対し着脱可能なカートリッジＡ、Ｂとなっており、誘引部材１４での炭酸ガスの発生量、捕集部材１５での蚊の捕集量等に応じ、適宜タイミングで交換することが可能となっている。
そして、カートリッジＢの交換の際には、捕集部材１５で捕集した蚊が、粘着剤面１６に付着していることになるが、この蚊が、ユーザに視認されないよう、このカートリッジＢは、カバー４０を備えた構成とすることができる。
以下、図４から図６に、カートリッジＢに備えるカバー４０の複数の形態を示す。
図４に示すカートリッジＢ１のカバー４０Ａは、カートリッジＢ１に可撓性を有した樹脂等からなる被覆フィルム４１の一端を取り付け、この被覆フィルム４１を伸ばして粘着剤面１６に貼り付けることで、粘着剤面１６を覆うものである。もちろん、被覆フィルム４１は、粘着剤面１６に捕集された蚊が見えないよう、透明度を低くするため、不透明や濃色とするのが良い。
この被覆フィルム４１は、カートリッジＢ１が未使用状態のときには、粘着剤面１６に貼り付けられており、使用時、つまりケース１１に装着するときにユーザが被覆フィルム４１を粘着剤面１６から引き剥がすのが好ましい。このとき、被覆フィルム４１自体の材質（例えば複数枚のフィルムを積層している等）により、表裏で表面張力が異なっていれば、被覆フィルム４１を粘着剤面１６から引き剥がした時点で、この被覆フィルム４１はカートリッジＢ１の一端にて所定の方向に丸まることになる。また、被覆フィルム４１を丸めるのではなく、蛇腹状に折畳むようにしてもよい。
この状態で、カートリッジＢ１をガイドレール１８ａ、１８ｂに差し込み、ケース１１にセットする。そして、カートリッジＢ１の交換時には、ガイドレール１８ａ、１８ｂからカートリッジＢ１を引き抜き、丸まっている被覆フィルム４１を伸ばし、粘着剤面１６に貼り付けるのである。
【００２５】
図５に示すカートリッジＢ２のカバー４０Ｂは、スライド式のものである。この場合、カートリッジＢ２は、粘着剤面１６の外周部に、粘着剤面１６に直交して立ち上がる周壁部４２が形成された浅型の箱状とされている。これによって、粘着剤面１６は、カートリッジＢ２の内部底面に形成され、粘着剤面１６を露出させる構成となっている。そして、周壁部４２には、互いに平行なガイド溝４３ａ、４３ｂが形成されており、このガイド溝４３ａ、４３ｂを固定部としてケース１１のガイドレール１８ａ、１８ｂに噛み合わせることで、カートリッジＢ２をケース１１に対し固定できるようになっている。
カバー４０Ｂは、いわゆるシャッターであり、周壁部４２の上面、つまりカートリッジＢ２の粘着剤面１６を覆うためのカバー部４４と、カバー部４４の両側端に形成されてガイド溝４３ａ、４３ｂに噛み合うガイド爪４５とを有している。これにより、このカバー４０Ｂは、ガイド溝４３ａ、４３ｂに沿って、周壁部４２上において、粘着剤面１６を覆う位置と粘着剤面１６を露出させる位置との間でスライド可能となっており、これによって粘着剤面１６を覆ったり開放したりできるようになっている。
このカバー４０Ｂは、カートリッジＢ２と略同じ大きさを有しており、カバー４０Ｂを開いた状態では、カバー４０ＢがカートリッジＢ２から側方に突出することになる。したがって、ケース１１は、突出したカバー４０Ｂをも収容できる大きさとするのが好ましい。
このようなカバー４０Ｂを備えたカートリッジＢ２は、未使用状態のときには、カバー４０Ｂを閉じておき、使用時、つまりケース１１に装着するときにユーザがカバー４０Ｂを開き、ガイドレール１８ａ、１８ｂに差し込み、ケース１１にセットする。また、カートリッジＢ２の交換時には、ガイドレール１８ａ、１８ｂからカートリッジＢ２を引き抜くとともに、カバー４０Ｂを閉じる。なお、ケース１１側に、カートリッジＢ２を差し込むと同時にカバー４０Ｂを開くための突起や各種機構を備えることで、カバー４０Ｂの開閉を自動的に行う構成とすることもできる。
【００２６】
図６に示すカートリッジＢ３のカバー４０Ｃは、図５に示したカバー４０Ｂと同様、スライド式のシャッターである。この場合、図６（ｃ）に示すように、カートリッジＢ３は、全体として中空の箱状で、粘着剤面１６に対向する面に、ケース１１の面積（粘着剤面１６に対向する面に沿った方向の面積）に対し半分以下の大きさの開口部４６が形成されている。カートリッジＢ３の周壁部４７には、互いに平行なガイド溝４８ａ、４８ｂが形成されている。
図６（ａ）および（ｂ）に示すように、カバー４０Ｃは、開口部４６を塞ぐ大きさを有したカバー部４９と、カバー部４９の両側端に形成されてガイド溝４８ａ、４８ｂに噛み合うガイド爪５０とを有している。これにより、このカバー４０Ｃは、ガイド溝４８ａ、４８ｂに沿ってスライド可能となっており、粘着剤面１６の上方の開口部４６を開閉し、粘着剤面１６を覆ったり開放したりできるようになっている。
このようなカバー４０Ｃを備えたカートリッジＢ３は、未使用状態のときには、カバー４０Ｃを閉じておき、使用時、つまりケース１１に装着するときにユーザがカバー４０Ｃを開き、ガイドレール１８ａ、１８ｂに差し込み、ケース１１にセットする。また、カートリッジＢ３の交換時には、ガイドレール１８ａ、１８ｂからカートリッジＢ３を引き抜くとともに、カバー４０Ｃを閉じる。なお、フロッピーディスクやミニディスクに備えられた開閉部のように、ケース１１側に、カートリッジＢ３を差し込むと同時にカバー４０Ｃを開くための突起や各種機構を備えることで、カバー４０Ｃの開閉を自動的に行う構成とすることもできる。この場合、図６（ａ）、（ｂ）に示すように、カバー４０Ｃを開くための突起や爪を係合させるための凹部や穴５１を、カバー４０Ｃに形成するのが好まし
い。
【００２７】
また、交換の際に、捕集部材１５で捕集されて粘着剤面１６に付着している蚊が、ユーザに視認されないようにするには、以下に示すような他の構成を採用することもできる。
この場合、図７、図８（ａ）に示すように、ケース１１内で対向配置される誘引部材１４と捕集部材１５を、略筒状のホルダ６０の内面に設け、これをカートリッジＢ４とすることができる。そして、ホルダ６０の、誘引部材１４と捕集部材１５との間の側面６１ａ、６１ｂを折畳み可能とする。
このホルダ６０は、ケース１１に設けられたガイドレール６２ａ、６２ｂ、６２ｃ、６２ｄによって、開口部１２が形成された側面１１ｃ（図１参照）と略直交する方向にスライド可能な状態で保持される。これによってカートリッジＢ４は開口部１２からケース１１に対して挿抜可能となっている。
このようなカートリッジＢ４を用いた構成では、誘引部材１４と捕集部材１５を一気に交換することができる。そして、交換時に、ケース１１からカートリッジＢ４を引き抜いた後、図８（ｂ）に示すように、カートリッジＢ４のホルダ６０を押し潰し、側面６１ａ、６１ｂを折畳むと、捕集部材１５の粘着剤面１６自らの粘着力によって誘引部材１４に密着する。これによって、捕集部材１５で捕集されて粘着剤面１６に付着している蚊がユーザに視認されることもなく、カートリッジＢ４ごと容易に処分することができる。
【００２８】
なお、上記したようなカバー４０Ａ、４０Ｂ、４０Ｃやホルダ６０は、所定の形状に成形することができるのであればいかなる材質でもよいが、廃棄処分の際に環境への負荷が少ない、可燃性プラスチック、有機材料等を採用するのが好ましい。
【００２９】
上述したような蚊捕集器具１０によれば、薄型で、小型・軽量とすることができるので、室内や車内での利用に好適であり、また、使用場所や設置形態の限定も少なく、汎用性が高いものとすることができる。
そして、誘引部材１４、捕集部材１５をカートリッジ式とすることで、蚊捕集器具１０のユーザによる維持・管理が容易であり、またカートリッジＡ、Ｂ（Ｂ１、Ｂ２、Ｂ３、Ｂ４）のみを購入すればよいので、維持コストを抑えることができる。
しかも、カートリッジＢ１、Ｂ２、Ｂ３、Ｂ４は、カバー４０（４０Ａ、４０Ｂ、４０Ｃ）やホルダ６０を備えることで、交換後に捕集された蚊を視認することなく、嫌悪感を抱くことなくカートリッジＢ１、Ｂ２、Ｂ３、Ｂ４の処分を行うことができるという利点がある。
【００３０】
なお、上記実施の形態で蚊捕集器具１０の具体的構成を例示したが、本発明の主旨を逸脱しない範囲内であれば、適宜他の構成に変更することが可能である。
例えば、カバー４０として、フィルム状のカバー４０Ａ、シャッター状のカバー４０Ｂ、４０Ｃを例に挙げたが、これ以外にも、使用状態では粘着剤面１６を露出させ、廃棄時に粘着剤面１６を覆うことができるのであれば、例えば蛇腹状に折畳むことのできるカバー等、適宜他の構成が採用できる。
また、上記実施の形態では、開口部１２をスリット状としたが、適宜形状の複数の孔とすることもできる。さらに、上記実施の形態では、開口部１２が、炭酸ガスの放出口と、誘引部材１４、捕集部材１５の交換口とを兼ねる構成としたが、これらを別々に形成することも可能である。特にそのような場合は、開口部１２の大きさを、放出する炭酸ガス量に応じて決めることもできる。
この他、カートリッジＡ、Ｂ（Ｂ１、Ｂ２、Ｂ３、Ｂ４）を着脱可能な構成としたが、ケースに対して装着するための構造等は、着脱が容易で、かつ確実に固定できる構造を適宜採用すればよい。
上記実施の形態では、ヒータパネル２０を備える構成としたが、このヒータパネル２０自体は、必ずしも必須の構成ではなく、炭酸ガスを放出する誘引部材１４のみでも蚊の捕
集効果は存在する。しかし、蚊の捕集効果を高めるには、ヒータパネル２０等、他の誘引部を兼ね備えるのが好ましい。なお、ヒータパネル２０を省略した構成とする場合、その制御回路や電源は不要となり、蚊捕集器具１０の可搬性を一層向上させることもできる。
さらに、誘引部材１４と捕集部材１５とを対向配置する構成としたが、これに限るものではない。例えば、捕集部材１５の粘着剤面１６を形成する粘着剤に、炭酸ガスを発生する材料を練り込み、粘着剤面１６を、誘引部材１４および捕集部材１５として用いるようなことも可能である。
これ以外にも、本発明の主旨を逸脱しない限り、上記実施の形態で挙げた構成を取捨選択したり、他の構成に適宜変更することが可能である。
【図面の簡単な説明】
【００３１】
【図１】本実施の形態における蚊捕集器具の外観を示す斜視図である。
【図２】蚊捕集器具の側断面図である。
【図３】蚊捕集器具における捕集部材、誘引部材の支持構造の一例を示す斜視図である。
【図４】カートリッジに備えたカバーの一例を示す図である。
【図５】カバーの他の例を示すものであり、スライド式のカバーを示す図である。
【図６】スライド式のカバーの他の例を示す図である。
【図７】折畳み式のカートリッジの例を示す図であり、カートリッジをケースに装着した状態の断面図である。
【図８】（ａ）はカートリッジの斜視図であり、（ｂ）はカートリッジを押し潰した状態を示す図である。
【符号の説明】
【００３２】
１０…蚊捕集器具（捕集器）、１１…ケース、１２…開口部（通路、露出口）、１４…誘引部材（カートリッジ、誘引部、ガス発生部）、１５ａ…基材（固定部、固定フレーム）、１５…捕集部材（カートリッジ）、１６…粘着剤面（粘着部）、１７ａ、１７ｂ、１８ａ、１８ｂ…ガイドレール、２０…ヒータパネル、４０、４０Ａ、４０Ｂ、４０Ｃ…カバー、４１…被覆フィルム、４４…カバー部、４６…開口部、４９…カバー部、６０…ホルダ（カートリッジ）、Ａ、Ｂ、Ｂ１、Ｂ２、Ｂ３、Ｂ４…カートリッジ
【図１】
2005065630.tif 000003
【図２】
2005065630.tif 000004
【図３】
2005065630.tif 000005
【図４】
2005065630.tif 000006
【図５】
2005065630.tif 000007
【図６】
2005065630.tif 000008
【図７】
2005065630.tif 000009
【図８】
2005065630.tif 000010